(57)【要約】【課題】  土壌中の水分量を常に正確に計測できるテンシオメータを提供する。【解決手段】  ポーラスカップ２０と、ポーラスカップ２０に一端が接続されるとともに他端が開放したパイプ１０と、パイプ中の圧力を計測する圧力センサ３１と、パイプの他端に嵌められてパイプ及びポーラスカップ内部を密閉状態にする蓋体を備えたテンシオメータ１であって、パイプ及びポーラスカップ内部を少なくともポーラスカップ内部を含む下部室１１と当該下部室１１に隣接した上部室１２とに画成する分離弁４０と、分離弁４０の開閉をテンシオメータ外部から操作可能とする分離弁開閉機構５０とを備え、圧力センサが下部室内の圧力を計測するようになっている。【選択図】  図１
2006058202.tif 000002
【特許請求の範囲】
【請求項１】
ポーラスカップと、
前記ポーラスカップに一端が接続されるとともに他端が開放したパイプと、
前記パイプ内の圧力を計測する圧力センサと、
前記パイプの他端に嵌められて前記パイプ及びポーラスカップ内部を密閉状態にする蓋体を備えたテンシオメータであって、
前記パイプ及びポーラスカップ内部を少なくともポーラスカップ内部を含む下部室と当該下部室に隣接した上部室とに画成する分離弁と、前記分離弁の開閉を前記テンシオメータ外部から操作可能とする分離弁開閉機構とを備え、前記圧力センサが前記下部室内の圧力を計測するようになったことを特徴とするテンシオメータ。
【請求項２】
前記分離弁は、前記開閉機構の分離弁開操作により前記上部室から下部室へ水をわずかに流入させる第１の分離弁と、前記上部室から下部室へ水を多量に流入させる第２の分離弁とを備え、前記下部室が負圧状態で前記第１の分離弁が第２の分離弁より先に開放するようになったことを特徴とする、請求項１に記載のテンシオメータ。
【請求項３】
前記テンシオメータが土壌に埋め込まれた状態で前記圧力センサの計測値を地表の外から確認可能とする表示部を更に備えたことを特徴とする、請求項１又は請求項２に記載のテンシオメータ。
【発明の詳細な説明】
【技術分野】
【０００１】
本発明は、例えば農園における土壌の水分量を検出するのに用いられるテンシオメータに関する。
【背景技術】
【０００２】
植物栽培を合理的に進める上で、植物が吸収する土壌中の水分量を知ることは基本的な重要事項であり、昔から様々な方法で土壌水分の計測が行われている。中でも植物栽培にとって最も一般的なのが、図５に示すように、例えば素焼きの瀬戸物など多孔質の物質でできた壷であるポーラスカップ１２０を用いて土壌の水ポテンシャルを求める方法である。この方法の特徴は、土壌中に含まれる水の総量的な体積含有率や重量含水量ではなく、植物の根を通して吸収できる水の量について計測できることである（例えば、特許文献１参照）。
【０００３】
このテンシオメータ１００の構造は、図５に示すように、２０ｍｍ程度の直径を有するパイプ１１０の一方の端部にポーラスカップ１２０が接着されている。また、ポーラスカップ１２０及びパイプ１１０の上部に圧力センサ１３１を予め備えておく。そして、ポーラスカップ１２０及びパイプ１１０の中に水を入れてパイプ１１０の他方の端部をゴム栓１１９で閉塞する。次いで、ゴム栓１１９の備わった他方の端部（上端部）と圧力センサ１３１を地表に残して残りを地中に埋める。また、外部には圧力を表示する表示計１３５を備えて、圧力センサ１３１の計測値をこの表示部から読み取る。
【０００４】
ポーラスカップ１２０の多孔質の構造とポーラスカップ周囲の土壌の細かい隙間によっていわゆる毛細管現象が生じ、土壌が乾燥しているとポーラスカップ外部への水の吸引力が増して吸引力は大きくなり、土壌が湿っているとポーラスカップ外部への水の吸引力は弱くなり水の浸みだしは少なくなる。
【０００５】
このとき、パイプ１１０の中の圧力は、吸引力が大きければ−１気圧近傍まで下がる。この圧力から水のポテンシャルが算出でき、通常はｐＦ（potential freeenergy）の単位で表示される。また、パイプ内の水が少なくなると、ゴム栓１１９を外して人手で水を補給するようにしている。
【０００６】
【特許文献１】特開２００２−２８６７１１号公報（３−４頁、図１）
【発明の開示】
【発明が解決しようとする課題】
【０００７】
従来の方法によると、水がポーラスカップ外部へ吸い出されてパイプ内部が負圧になると、水に溶け込んでいた空気が現れてこれに水蒸気が分圧として加わり、気泡が発生してしまう。気泡が発生すると、ポーラスカップ外部に水を吸い出す吸引力とパイプ内部の負圧力及びポーラスカップ外部の大気圧との間で圧力平衡に達するために、発生した気体の体積分だけさらに水がポーラスカップ外部に出てしまう。
【０００８】
このように水がポーラスカップ外部に吸い出された後に降雨や灌漑等で土壌水分量が再び上昇すると、吸引力が減少するため、土壌中の水がパイプ内に逆流して再び圧力平衡に達する。この際、パイプ内の気泡の体積が大きければ大きいほど、ポーラスカップ内部に逆流する水分量も多くなり、平衡に達する時間もかかる。また逆流した水は、空気が溶け込んでいるのでこれが低圧のカップ内で放出されてさらに気泡が大きくなる。テンシオメータの上部は、地上に出ているので、日射や昼夜の地表の気温差で気体が膨張収縮してこの分の水がポーラスカップから出入りする。このようにしていったん気泡ができてしまうと相乗的に気泡が大きくなる特性がある。さらに、この逆流した水分には肥料などの他の成分が浸みだしており、パイプ内に当初充満していた純粋な水とは浸透圧等が異なり、吸引力に影響を与えてパイプ内部の圧力が土壌の水分量に正確に対応しなくなり、計測値も影響をうけ、ひいては土壌中の水分量の正確な計測ができなくなる。また、ポーラスカップから浸出した水は被測定物である土壌に水を与えることとなり植物の根がポーラスカップに集まってしまうなどの影響も出るおそれがある。
【０００９】
本発明の目的は、土壌中の水分量を従来より正確に計測できるテンシオメータを提供することにある。
【課題を解決するための手段】
【００１０】
上述した課題を解決するために、本発明にかかるテンシオメータは、ポーラスカップと、前記ポーラスカップに一端が接続されるとともに他端が開放したパイプと、前記パイプ内の圧力を計測する圧力センサと、前記パイプの他端に嵌められて前記パイプ及びポーラスカップ内部を密閉状態にする蓋体を備えたテンシオメータであって、前記パイプ及びポーラスカップ内部を少なくともポーラスカップ内部を含む下部室と当該下部室に隣接した上部室とに画成する分離弁と、前記分離弁の開閉を前記テンシオメータ外部から操作可能とする分離弁開閉機構とを備え、前記圧力センサが前記下部室内の圧力を計測するようになったことを特徴としている。
【００１１】
テンシオメータのパイプ内を少なくともポーラスカップ内部を含む下部室と当該下部室に隣接した上部室とに分離し、レバー操作によって簡単に下部室内をできるだけ気泡の少ない状態で運転し、ポーラスカップから土壌への水の出入りを少なくすることが出来る。
【００１２】
また、本発明の請求項２に記載のテンシオメータは、請求項１に記載のテンシオメータにおいて、前記分離弁は、前記分離弁開閉機構の分離弁開操作により前記上部室から下部室へ水をわずかに流入させる第１の分離弁と、前記上部室から下部室へ水を多量に流入させる第２の分離弁とを備え、前記下部室が負圧状態で前記第１の分離弁が第２の分離弁より先に開放するようになったことを特徴としている。
【００１３】
最初に第１の分離弁を開けて狭い通路を介して下部室に水をゆっくりと流入させ、下部室内の負圧が小さくなったときに第２の分離弁を開ける。分離弁がこのように２段開閉構造になっていることで、分離弁を開ける際に負圧になっている下部室に急に水が流入することで生じるウオーターハンマ現象を防止し、敏感な圧力センサに衝撃的な圧力が作用するのを防ぐ。
【００１４】
また、本発明の請求項３に記載のテンシオメータは、請求項１又は請求項２に記載のテンシオメータにおいて、前記テンシオメータが土壌に埋め込まれた状態で前記圧力センサの計測値を地表の外から確認可能とする表示部をさらに備えたことを特徴としている。
【００１５】
このような表示部を備えることで、土壌の状態を常に正確に判断することができるようになる。
【発明の効果】
【００１６】
本発明のテンシオメータによると、ポーラスカップで発生した気泡を早めに取り除くことができ、圧力測定を温度影響の少ない地下部に位置させることにより、ポーラスカップからの水の出入りを小さくして測定の応答時間を早め、地表の日射や温度の影響をできるだけ小さくし、被測定土壌への影響を少なくし、使用する水の補給量を少なくすることが出来る。
【発明を実施するための最良の形態】
【００１７】
発明の一実施形態にかかるテンシオメータについて説明する。本発明の一実施形態にかかるテンシオメータ１は、図１に示すように、パイプ１０と、パイプ１０の下端部に設けられたポーラスカップ２０と、パイプ１０のポーラスカップ近傍部に設けられた圧力センサ３１と、パイプ１０の上端開口部を閉塞する栓１９と、パイプ内部の圧力センサ取付け位置近傍上部に設けられた分離弁４０と、パイプ１０の上部から延在した分離弁開閉レバー５０と、圧力センサ３１と接続された表示計３５とを備えている。
【００１８】
パイプ１０は、例えば直径約１８Φで長さが約５００ｍｍ程度の塩ビ管からなり、上述したように下端部１０ａがポーラスカップ２０との接続部をなし、ポーラスカップ２０との接続部近傍の管壁に圧力計測用の孔部１０ｂが形成され、孔部１０ｂに圧力センサ３１が取り付けられるようになっている。また、パイプ内部の孔部上方には分離弁４０を着座させるための段部１５がパイプ内周方向全周に連続的に形成されている。
【００１９】
パイプ１０の下端部に備わったポーラスカップ２０は、上述したポーラスカップ１２０と同様に例えば素焼きの瀬戸物など多孔質の物質でできた壷からなり、ポーラスカップ内部の水がポーラスカップ２０の多孔質の孔とポーラスカップ周囲の土壌の細かい隙間を介していわゆる毛細管現象により土壌中に吸い出されるようになっている。
【００２０】
また、パイプ１０の上端部１０ｃは栓１９で閉塞可能なようになっており、パイプ上端部から水を注入し、ポーラスカップ２０及びパイプ１０に注入された水を内部に雨水やごみが入らない状態で溜めるようになっている。
【００２１】
また、パイプ１０とポーラスカップ２０とで形成される空間は、後述する分離弁４０を介してポーラスカップ内部を含む下部室１１と下部室１１より上方に位置する上部室１２に画成され、分離弁４０を介してこの夫々の空間に別々に水を溜めることができるようになっている。
【００２２】
圧力センサ３１は、分離弁４０によって画成されたポーラスカップ内部を含む下部室内の圧力を計測するためのもので、下部室内に水が充満していても圧力計測できるとともに、この水がポーラスカップ２０より土壌中に吸い出されて水に溶けた空気や水蒸気が下部室１１に現れて下部室１１に空気や水蒸気が混在する場合の圧力も計測できるようになっている。そして、圧力センサ３１は地表の外に設置された表示計３５に電線を介して圧力データを送るようになっている。
【００２３】
一方、パイプ１０の上部には牽引ロープ導出部１８が備えられ、パイプ１０から一定距離離間して設けられた分離弁開閉レバー５０から延在した牽引ロープ導出部１８を介してパイプ内部に導入され、後述する分離弁４０の一部に接続されている。そして、分離弁開閉レバー５０を操作することによって、牽引ロープ５１をパイプ内部から若干導出したりパイプ内部に導入したりすることができ、これによって分離弁４０を開閉操作可能としている。
【００２４】
分離弁４０は、図２に詳細に示すように、第１の分離弁４１と、第１の分離弁４１を一部囲うように配置された第２の分離弁４２とを備えている。そして、第１の分離弁４１はニードル状をなし、略中央部分に拡径された弁体４１ａを備えるとともに、一端部に圧縮バネ４４の着座部４１ｂを備えている。また、第１の分離弁４１の他端部近傍には引っ張りバネ４３の一方の端部が固定され、当該引っ張りバネ４３は第１の分離弁４１に巻回されてその他端部が第１の分離弁４１の他端部より下方に位置するパイプ内壁の固定部１７に固定されている。また、第１の分離弁４１の他端部には上述した分離弁開閉レバー５０から延在する牽引ロープ５１の一端が接続されている。
【００２５】
また、第２の分離弁４２は第１の分離弁４１の弁体４１ａを内部に収容可能な筒体をなし、第２の分離弁４２の下端部には縮径されて第１の分離弁４１を着座させる着座部４２ａが構成されている。また、第２の分離弁４２の着座部４２ａ及び下端部外周部縁近傍には例えばゴムでできたＯ−リング４８，４９が備わっており、分離弁閉止状態で上部室１２から下部室１１に水が流入しないようになっている。また、第２の分離弁４２の下端面と第１の分離弁４１の一端部との間には圧縮バネ４４が介在されている。
【００２６】
なお、引っ張りバネ４３と圧縮バネ４４は、下部室１１が負圧となっている際、牽引ロープ５１によって第１の分離弁４１が上方に引っ張られたときに、最初に引っ張りバネ４３が伸びて第１の分離弁４１のみが上方に移動し、これによって下部室１１に水が流入して下部室内の圧力が上昇して第２の分離弁４２に下部室１１からの負圧力が作用しなくなり、圧縮バネ４４で付勢された第２の分離弁４２がその後に上方に移動するように各バネ定数が設計されている。
【００２７】
続いて、かかるテンシオメータ１の実際の使用方法について説明する。最初に、テンシオメータ１のポーラスカップ２０を土壌中の例えば植物の根がはった深さまで達するようにポーラスカップ２０を下端部にして垂直に埋める。すなわち、パイプ下端のポーラスカップ２０が根の活動範囲に合わせて地表から１０ｃｍから４０ｃｍ程度の深さになるようにパイプ１０を埋め込む。なお、テンシオメータ１の上端部は、栓１９を外して水を流入させるために地表から突出したままとする。また、分離弁開閉レバー５０を地上の適所に配置するとともに、表示計３５を地表の適所に配置する。
【００２８】
次いで、栓１９を外してパイプ１０の上端から水を流し込む。この際、分離弁開閉レバー５０を操作して分離弁４０を開き、水を上部室１２のみならず下部室１１にも流入させる。なお、テンシオメータ１を土壌に埋めた直後は下部室１１が大気圧となったままであり、第２の分離弁４２には負圧が作用していないので、分離弁開閉レバー５０を操作することで第１の分離弁４１と第２の分離弁４２をともに同時に引き上げて分離弁４０を素早く広く開けるので、水を下部室１１及び上部室１２に効率的に流入させることができる。
【００２９】
次いで、水をテンシオメータ１の内部いっぱいに溜めた後、パイプ１０の上端部に栓１９を被せてテンシオメータ内部を密封する。
【００３０】
このようにして土壌中に埋められたテンシオメータ１のポーラスカップ２０からは、ポーラスカップ周囲の土壌の乾き具合いに応じて水が土壌中に吸い出され、下部室内の水位が低下するとともに、下部室内の水に溶け込んだ空気及び水蒸気が現れて気泡が生じ、やがては下部室上部に空気がたまる。このようにパイプ内の下部室１１に溜まった水はポーラスカップ２０を通して土壌中に吸い出され、下部室内が負圧となって水が吸い出される際の抗力となり、吸い出し力と負圧による抗力とバランスしたところで安定する。なお、土壌が乾燥していれば吸い出し力も強くなるので、下部室内の負圧も大きくなる。そして、圧力センサ３１で計測した圧力値を地表の適所に備えた表示計３５によって読み取ることで土壌中の水分量を把握する。この下部室内の圧力の大きさは土壌が乾燥していると、殆どマイナス１気圧近くにまでなる。なお、この装置は、引っ張る力、即ち張力を計るのでテンシオメータと呼ばれる。
【００３１】
ここで、本実施形態にかかるテンシオメータ１は、テンシオメータ外部に分離弁４０を介して下部室１１と上部室１２とに画成していることで、ポーラスカップ２０に満たされた水を収容する下部室１１の容積が小さくなる。従って、この空間内の水がポーラスカップ２０の外部に吸い出されて下部室１１が負圧になった際にポーラスカップ内部の水から発生する気泡の量が少なくて済む。そのため、以下のような特有の作用を生じさせることができる。
【００３２】
具体的には、水が吸い出されてパイプ１０の中が負圧になると、予めパイプ１０に入れた水の中に溶け込んでいた空気が現れるとともに、水が蒸発して水蒸気となり、分圧としてこれに加わって下部室内に気泡が発生する。圧力平衡に達するために水が外に出ていき、相当量の水が吸い出されて最後に圧力平衡に達する。しかしながら、本実施形態にかかるテンシオメータ１は負圧になる下部室１１の容積が従来のテンシオメータに比べて小さいので、テンシオメータ内に発生する気泡が小さくて済む。すなわち、分離弁４０が閉止した状態では下部室１１は小さな容積を備えた密閉空間となる。下部室１１はこのように容積が小さいため、最初に水に溶け込んだ空気が発生する量を減少させることができ、水蒸気の体積も減少させることができる。
【００３３】
なお、ポーラスカップ２０は地中で大気圧の気層とも接しているので、ここから空気が少しずつ溶け込み、ポーラスカップ内に移動して、内部の負圧状態により空気を再放出する。
【００３４】
一方、溜水や降雨などで土壌水分量が上昇するとポーラスカップ２０から土壌中への吸引力が減少するので、土壌中の水が下部室内に逆流して圧力平衡となる。しかしながら、下部室内の気泡の体積が上述したように小さいので、この体積に見合う逆流する水の量も小さくて済む。従って、このように逆流した水は、肥料など他の成分も溶け込んでいるが、水自体が少量であるのでポーラスカップ２０から土壌に向かう吸引力に影響を与えることは少ない。
【００３５】
一方、テンシオメータ１のパイプ上端部は地表に突出しているので、従来のテンシオメータ１００では日射や地表の温度でパイプ上部が加熱されてパイプ内部の気体が膨張し、この体積に相当する水がポーラスカップ２０を介して更に地中に吸い出される。そして、夜間になって地表部の気温が低下すると、パイプ内部の空気も冷やされるので体積は減少し、パイプ内部の圧力が低下するので、ポーラスカップ周辺の土壌中の水が、外部から再び逆流入していた。
【００３６】
しかしながら、本実施形態にかかるテンシオメータ１は、下部室１１が地中にあるため、日射や地表の温度の影響を受けず、気体の体積変化も抑えることができる。これにより、地表の温度変化に伴う下部室内に発生した気泡の膨張や収縮を抑えることができ、これに伴うポーラスカップ２０から土壌への水の出入りも最小限に抑えることができる。
【００３７】
以上のような理由で、ポーラスカップ２０から土壌への水の出入りを少なくすることができ、パイプ内の水の消費量を抑え、応答時間を低下させなくて済む。これに伴って、外部に流出した水のためにテンシオメータ周囲の土壌から構成される被測定系にも影響を与えることがなくなり、例えば従来例のテンシオメータ１００を用いた場合のような植物の根がポーラスカップ周辺に集まるような不具合を軽減できる。
【００３８】
また、テンシオメータ内の下部室１１の水が少なくなった場合、以下に説明するようにウオーターハンマによる悪影響を圧力センサ３１に与えることなく水を簡単に補給することができる。以下、この水の補給について説明する。
【００３９】
まず、ポーラスカップ２０からある程度の水が周囲の土壌中に吸い出された後に、下部室１１の上部に貯まった空気を分離弁４０を操作することによってテンシオメータ１の上部に移動させる。具体的には、分離弁開閉レバー５０を操作することによって、図３に示すように、分離弁４０の第１の弁体４１を引っ張りバネ４３の引っ張り力に抗して上方に移動させる。なお、この際、第２の分離弁４２はその下端面が下部室内の負圧によって下方に引っ張られているため、第１の分離弁４１と第２の分離弁４２との間に備わった圧縮バネ４４の付勢力によっても第２の分離弁４２が上方にすぐに移動することはない。そして、第１の分離弁４１が上方に移動して第２の分離弁４２との間で隙間が生じることによって、上部室内の水が少量ずつ下部室内に流入する。これによって、下部室内の水位が上昇するとともに、下部室内の負圧が徐々に小さくなっていき、やがては第２の分離弁４２が負圧によって下部室方向に引っ張られなくなり、図４に示すように、第２の分離弁４２も圧縮バネ４４の付勢力によって上方に移動する。このようにして第２の分離弁４２も開放することで、下部室１１に上部室１２から先ほどより多い量の水が流入して下部室１１を素早く水で満たすことができる。
【００４０】
このように上部室１２から下部室１１までの水の流入量を最初が少なく後に多くすることによって、下部室内に配置された圧力センサ３１がいわゆるウオーターハンマ現象により破損するのを防止する。
【００４１】
なお、上述の実施形態においては、分離弁４０を第１の分離弁４１と第２の分離弁４２とに分けて構成し、上部室１２から下部室１１への水の流入量を変えることによって、ウオーターハンマ現象をなくして圧力センサ３１の保護を図ったが、圧力センサ３１の破損の心配がなければ、このように分離弁４０を第１の分離弁４１と第２の分離弁４２に分けて構成する必要はない。
【００４２】
また、パイプ１０の上部にはめ込む栓１９はゴム栓に限らずどのような蓋体であっても良い。また、パイプ１０の径及び長さ並びに材質は上述した実施形態に必ずしも限定されるものではない。同様に、分離弁４０の材質についても金属や樹脂などさまざまな材質が考えられる。
【００４３】
また、分離弁４０の開閉は、分離弁開閉レバー５０及び牽引ロープ５１を介して行うようにしたが、例えば気泡の発生を検知する光学センサなどを下部室１１の気泡が発生し易い位置に取付け、光学センサによって気泡の発生を検知したときに分離弁４０をモータ等により電気的に開閉するようにしても良い。
【００４４】
以上説明したように、分離弁４０が閉止すると、下部室１１は小さな容積の密閉空間となる。下部室１１の容積は全体から切り離されて小さいので、最初にとけ込んだ空気が発生する量を減少し、これに応じて分圧で加わる水蒸気の体積も減少させることができる。また、下部室１１は地中にあり、日射や地表の温度の影響を受けず温度が一定しているので、気体の体積変化も抑えられる。これによって、ポーラスカップ２０とその周囲の土壌との間での余分な水の出入りを極力抑えることができ、パイプ内の水の消費量を抑え、応答時間を低下させなくて済む。これに伴って、外部に流出した水のためにテンシオメータ周囲の土壌から構成される被測定系にも影響を与えることがなくなる。
【００４５】
また、本実施形態にかかるテンシオメータによれば、牽引ロープに繋がった分離弁開閉レバー５０を引くだけで下部室１１に貯まった空気の全てを短時間で抜き、水を下部室１１に満たすことができる。従って、従来のように水の容器を毎回持ち歩いて補給することに比べてテンシオメータの管理上遥かに簡便となる。なお、水の補給を頻繁に行えば、空気が溶けた水の流入量も少なくでき、分離弁を再び閉止した後のテンシオメータ自体の応答性も向上する。
【００４６】
なお、上部室の水が無くなった場合は、栓を開けて補給しなければならないが、このとき下部室の圧力は変化しないので、圧力センサ出力特性の不必要な変化を生じさせずに済む。
【図面の簡単な説明】
【００４７】
【図１】本発明の一実施形態にかかるテンシオメータを土壌中に埋め込んだ状態で示す断面図である。
【図２】図１に示したテンシオメータの分離弁の部分であって分離弁が閉止した状態を拡大して示した断面図である。
【図３】図２に対応する断面図であり、分離弁の第１の分離弁のみが開いた状態を示した断面図である。
【図４】図２に対応する断面図であり、分離弁の第１の分離弁と第２の分離弁とがともに開いた状態を示した断面図である。
【図５】従来のテンシオメータを土壌中に埋め込んだ状態で示す断面図である。
【符号の説明】
【００４８】
１    テンシオメータ
１０    パイプ
１０ａ    下端部
１０ｂ    孔部
１０ｃ    上端部
１１    下部室
１２    上部室
１５    段部
１７    固定部
１８    牽引ロープ導出部
１９    栓
２０    ポーラスカップ
３１    圧力センサ
３５    表示計
４０    分離弁
４１    第１の分離弁
４１ａ    弁体
４１ｂ    着座部
４２    第２の分離弁
４２ａ    着座部
４３    引っ張りバネ
４４    圧縮バネ
４８，４９    Ｏ−リング
５０    分離弁開閉レバー
５１    牽引ロープ
１００    テンシオメータ
１１０    パイプ
１１９    ゴム栓１１９
１２０    ポーラスカップ
１３１    圧力センサ
１３５    表示計
【図１】
2006058202.tif 000003
【図２】
2006058202.tif 000004
【図３】
2006058202.tif 000005
【図４】
2006058202.tif 000006
【図５】
2006058202.tif 000007